(57)【要約】  観察者Ｏによって見られる少なくとも部分的に反射性の表面Ｓを照らす照明デバイス１００が開示される。照明デバイス１００は、選択された偏光方向を有する偏光光を生成する発光モジュール１１０、１２０を含む。更に、照明デバイス１００は、偏光光で、少なくとも部分的に反射性の表面Ｓを照らし、少なくとも部分的に反射性の表面に入射する光の入射面の向きとの関連で、少なくとも部分的に反射性の表面Ｓを照らす光の偏光方向の調節をもたらすように調節可能である。インジケータ１３０が、少なくとも部分的に反射性の表面Ｓを照らす光の偏光方向をどのように調節すべきか、観察者Ｏのためのガイダンスを提供するように配置される。これにより、少なくとも部分的に反射性の表面Ｓからの光反射の程度が調節される。更に、このような照明デバイス１００を含む照明器具と、少なくとも部分的に反射性の表面Ｓからの光反射の程度を観察者が調節し易くする方法とが開示される。
2016518010.tif 000002
【特許請求の範囲】
【請求項１】
観察者によって見られる少なくとも部分的に反射性の表面を照らす照明デバイスであって、
選択された偏光方向を有する偏光光を生成する発光モジュールを含み、
前記照明デバイスは、前記偏光光で、前記少なくとも部分的に反射性の表面を照らし、
前記照明デバイスは、前記少なくとも部分的に反射性の表面に入射する光の入射面の向きとの関連で、前記少なくとも部分的に反射性の表面を照らす光の偏光方向の調節をもたらすように調節可能であり、
前記照明デバイスは更に、
前記少なくとも部分的に反射性の表面からの光反射の程度の選択された基準に適合するように、前記少なくとも部分的に反射性の表面を照らす光の偏光方向をどのように調節すべきか、前記観察者のためのガイダンスを提供するように配置されるインジケータを含む、照明デバイス。
【請求項２】
前記インジケータは、ｓ偏光光又はｐ偏光光で、前記少なくとも部分的に反射性の表面を照らすように、前記少なくとも部分的に反射性の表面を照らす光の偏光方向をどのように調節すべきか、前記観察者のためのガイダンスを提供するように配置される、請求項１に記載の照明デバイス。
【請求項３】
前記少なくとも部分的に反射性の表面からの光反射の程度の前記選択された基準に適合するように、前記発光モジュールの位置と、前記少なくとも部分的に反射性の表面の位置と、前記観察者の注視点とによって画成される入射角をどのように調節すべきか、前記観察者のためのガイダンスを提供する角度インジケータを更に含む、請求項１又は２に記載の照明デバイス。
【請求項４】
前記少なくとも部分的に反射性の表面からの光反射の程度の前記選択された基準に適合するように、前記発光モジュールと前記観察者の注視点との間の第１の距離と、前記少なくとも部分的に反射性の表面と前記観察者の前記注視点との間の第２の距離とをどのように調節すべきか、前記観察者のためのガイダンスを提供する距離インジケータを更に含む、請求項１乃至３の何れか一項に記載の照明デバイス。
【請求項５】
前記発光モジュールと前記観察者の前記注視点との間の方向を規定する第１のベクトルは、前記少なくとも部分的に反射性の表面と前記観察者の前記注視点との間の方向を規定する第２のベクトルに直交する、請求項４に記載の照明デバイス。
【請求項６】
前記発光モジュールは、前記選択された偏光方向を有する光の第１の成分は透過させ、別の偏光方向を有する光の別の成分は、光源に向けて戻るように反射する反射透過型偏光子を含む、請求項１乃至５の何れか一項に記載の照明デバイス。
【請求項７】
前記反射透過型偏光子は、第１の偏光状態を有する光を、個々に、透過させ、また、反射し、前記照明デバイスは更に、
前記反射透過型偏光子によって反射された前記光の少なくとも一部を受け取り、前記第１の偏光状態を有する光を、第２の偏光状態を有する光に変換するように、前記反射透過型偏光子に対して配置される偏光状態変換器を含む、請求項６に記載の照明デバイス。
【請求項８】
前記反射透過型偏光子は、第１の偏光状態を有する光を、個々に、透過させ、また、反射し、前記照明デバイスは更に、
前記反射透過型偏光子によって透過された前記光の少なくとも一部を受け取り、前記第１の偏光状態を有する光を、第２の偏光状態を有する光に変換するように、前記反射透過型偏光子に対して配置される偏光状態変換器を含む、請求項６に記載の照明デバイス。
【請求項９】
前記偏光状態変換器は、積み重ねられた複数の複屈折層を含む、請求項７又は８に記載の照明デバイス。
【請求項１０】
前記偏光状態変換器は、ねじれ液晶構造を含む、請求項７乃至９の何れか一項に記載の照明デバイス。
【請求項１１】
複数の光源を更に含む、請求項１乃至１０の何れか一項に記載の照明デバイス。
【請求項１２】
観察者によって見られる少なくとも部分的に反射性の表面が、選択された偏光方向を有する偏光光を生成する発光モジュールを含む照明デバイスによって照らされると、前記少なくとも部分的に反射性の表面からの光反射の程度を前記観察者が調節し易くする方法であって、前記照明デバイスは、前記偏光光で、前記少なくとも部分的に反射性の表面を照らし、前記照明デバイスは、前記少なくとも部分的に反射性の表面に入射する光の入射面の向きとの関連で、前記少なくとも部分的に反射性の表面を照らす光の偏光方向の調節をもたらすように調節可能であり、前記方法は、
前記少なくとも部分的に反射性の表面からの光反射の程度の選択された基準に適合するように、前記少なくとも部分的に反射性の表面を照らす光の偏光方向をどのように調節すべきか、前記観察者のためのガイダンスを提供するようにインジケータを配置するステップを含む、方法。
【請求項１３】
請求項１乃至１１の何れか一項に記載の照明デバイスを含む照明器具。
【発明の詳細な説明】
【技術分野】
【０００１】
本発明は、照明デバイスに関する。特に、本発明は、選択された偏光方向を有する偏光光を提供でき、また、表面を照らす光の偏光方向をどのように調節すべきか、ユーザのためのガイダンスを提供するインジケータを有する照明デバイスに関する。本発明は更に、被照面からの光反射の程度を調節する方法に関する。
【背景技術】
【０００２】
例えば光沢紙、電子タブレット又は濡れた路面といった反射面からの光反射は、テキストの読者又は車両の運転手といった観察者には目障りで、眩しい。
【０００３】
例えば米国特許第３，５６６，０９９号では、この問題は、偏光子を通過する光が直線偏光されるように、パラボラリフレクタの入口の上に配置された当該偏光子を有する光投影アセンブリを提供することによって対処されている。
【０００４】
観察者の目に向かって反射される光の量は、例えば入射光の偏光方向と、入射面とに依存する。入射面は、表面を見る観察者の注視点と、光源の位置と、少なくとも部分的に反射性の表面とによって画成される。入射面に平行な偏光方向を有する光で、特にブルースター（Brewster）角に近い入射角において、反射面を照らすことによって、表面からの光反射の程度は減少される。
【０００５】
しかし、被照面からの光反射の程度の制御を向上できる改良型照明デバイスが依然として必要である。
【０００６】
米国特許第２，４０２，１７６号は、表面照射のためのデバイスについて開示し、より具体的には、人間の目が当該表面を見たときのグレアを排除するか、又は、最小限に抑えるように、当該表面に衝突する又は当該表面から反射する光の変更に関する。
【０００７】
米国特許第５，１６１，８７９号は、多色作業面を照らす下方向への光の投影を可能にし、悪意のある人が見ているかも知れない水平方向及び他の方向における光の投影を抑制するように、複数のランプに電力を印加する重力によって作動されるスイッチを有する警備担当者用の懐中電灯について開示している。投影される光の強度は、光学手段を偏光させることによって可変であり、重力スイッチ及びユーザの制御で調整可能であるため、懐中電灯の点灯時の初期光強度は、最低投影光強度で起こる。
【０００８】
米国特許公開公報第２００２／０１１３５６０号は、直線偏光レンズを有する照明装置について開示している。偏光レンズは、第１の位置と第２の位置との間の任意の位置に回転可能である。偏光レンズを回転させることによって、様々な偏光面が達成できる。ユーザは、第１及び第２の所定位置の中間に介在する偏光子を選択的に調節することによって、表面反射率の拒絶量を変化させるよう選択することもできる。
【発明の概要】
【発明が解決しようとする課題】
【０００９】
上記に鑑みて、本発明の実施形態のうちの少なくとも幾つかの実施形態は、被照面からの光反射の程度の制御を向上できるようにすることを目的とする。
【課題を解決するための手段】
【００１０】
したがって、独立請求項の特徴を有する照明デバイス及び方法が提供される。従属請求項は、有利な実施形態を規定する。
【００１１】
本発明の第１の態様によれば、観察者によって見られる少なくとも部分的に反射性の表面を照らす照明デバイスが提供される。照明デバイスは、選択された偏光方向を有する偏光光を生成する発光モジュールを含む。照明デバイスは、偏光光で、少なくとも部分的に反射性の表面を照らし、少なくとも部分的に反射性の表面に入射する光の入射面の向きとの関連で、少なくとも部分的に反射性の表面を照らす光の偏光方向の調節をもたらすように調節可能である。更に、照明デバイスは、観察者に、偏光光の偏光方向を示すインジケータを含む。インジケータは、少なくとも部分的に反射性の表面からの光反射の程度の選択された基準に適合するように、少なくとも部分的に反射性の表面を照らす光の偏光方向をどのように調節すべきか、観察者のためのガイダンスを提供するように配置される。
【００１２】
第２の態様によれば、観察者によって見られる少なくとも部分的に反射性の表面からの光反射の程度を観察者が調節し易くする方法が提供される。少なくとも部分的に反射性の表面は、選択された偏光方向を有する偏光光を生成する発光モジュールを含む照明デバイスによって照らされる。照明デバイスは、偏光光で、少なくとも部分的に反射性の表面を照らし、照明デバイスは、少なくとも部分的に反射性の表面に入射する光の入射面の向きとの関連で、少なくとも部分的に反射性の表面を照らす光の偏光方向の調節をもたらすように調節可能である。当該方法は、観察者に、偏光光の偏光方向を示すインジケータを提供するステップと、少なくとも部分的に反射性の表面からの光反射の程度の選択された基準に適合するように、少なくとも部分的に反射性の表面を照らす光の偏光方向をどのように調節すべきか、観察者のためのガイダンスを提供するようにインジケータを配置するステップとを含む。
【００１３】
これらの態様に関連付けられる利点は幾つかある。例えばインジケータは、照らされた少なくとも部分的に反射性の表面からの光反射又はグレアの程度が選択された基準に適合するように、観察者が偏光方向を調節できるようにする。この基準は、例えば非偏光光による照明に比べて所定の又は選択された程度までの反射の減少であり、これは、光沢仕上げされた雑誌及び電子タブレットといった情報担体からの目障りなグレアを有利に減少し、したがって、テキストの可読性を向上させる。観察者が、このような表面からの望ましくないグレアを減少できることによって、例えば出版社及びフラットスクリーン製品の製造業者は、それぞれ、光沢紙及び光沢仕上げされたディスプレイを使用することができるようになる。光沢仕上げされた表面は、時に、マット仕上げされた表面に比べて、高い画質を有すると見なされることがある。更に、物体に衝突する光の偏光方向を調節できることは更に、非偏光光を使用した照明に比べて、反射光量を増加させることもできる。これは、水晶、宝石、ダイアモンド及びキラキラ光る効果が望まれる他の物体の照明に有利である。反射は、デザイン目的の光沢面においても望まれることがある。このような場合、インジケータが、物体の被照面における反射を増大させるように、光の偏光方向を調節するように、観察者、ユーザ又は設置者のためのガイダンスを提供できる。これらの態様は更に、様々な照明条件及び要件に適応可能である比較的適応性のある照明デバイス及び方法を提供する。上記されたように、同じデバイスが、見物者又は観察者によって見られる結晶のキラキラ光る効果を高めることだけでなく、光沢仕上げされた雑誌を読むユーザのための快適な照明を提供するために使用できる。
【００１４】
これらの態様は、観察者によって見られる表面を照らす光の偏光方向をどのように調節すべきか、観察者のためのガイダンスを提供することによって、観察者の目に到達する反射量が、望ましい基準に適合するように制御されるという認識に基づいている。これは、反射される入射光の割合は、特に、入射光の偏光方向に依存するという効果を利用して達成される。この効果は、したがって、表面における又は表面からの光反射の程度を制御する可能性を提供する。
【００１５】
入射面は、表面を見ている観察者の注視点と、発光モジュールの位置と、少なくとも部分的に反射性の表面とによって画成される。これに加えて又は代えて、入射面は、入射光の伝搬ベクトルと、少なくとも部分的に反射性の表面に対する法線とによって画成されてもよい。
【００１６】
発光モジュールは、例えば非偏光光を放出する光源と、放出された光を受け取り、望ましい偏光方向を有する偏光光を生成する偏光子とを含む。これに加えて又は代えて、発光モジュールは、例えば選択された偏光方向を有する偏光光を放出する光源を含む。
【００１７】
本願のコンテキストでは、「光源」との用語は、例えば任意のデバイス若しくは要素の両端間に電位差を印加する又は任意のデバイス若しくは要素に電流を流すことによって起動されると、例えば可視領域、赤外領域及び／又は紫外領域である電磁スペクトルの任意の領域又は領域の組み合わせにおける放射線を放出可能である実質的に任意の当該デバイス又は要素を定義するように使用される。したがって、光源は、単色、準単色、多色又は広帯域スペクトル放出特性を有する。光源の例は、半導体発光ダイオード（ＬＥＤ）若しくはレーザ、（ＯＬＥＤといった）有機若しくはポリマー発光ダイオード、ＲＧＢ  ＬＥＤ、光学的に励起される蛍光体でコーティングされたＬＥＤ、光学的に励起されるナノ結晶ＬＥＤ、ＲＧＢレーザの組み合わせ、白色広帯域レーザ、レーザ励起される蛍光体、又は、当業者に知られている任意の他の同様のデバイスを含む。
【００１８】
一実施形態によれば、インジケータは、ｓ偏光光又はｐ偏光光で、少なくとも部分的に反射性の表面を照らすように、少なくとも部分的に反射性の表面を照らす光の偏光方向をどのように調節すべきか、観察者のためのガイダンスを提供するように配置される。ｓ偏光光、即ち、入射面に直交する偏光方向を有する光は、非偏光光を使用した照明に比べて、反射の程度を有利に増加させるのに対し、ｐ偏光光、即ち、入射面に平行な偏光方向を有する光は、非偏光光を使用した照明に比べて、被照面における反射の程度を有利に減少させる。観察者による調節は、例えば偏光子を通過する光の偏光方向を示すインジケータによって可能にされる。これに代えて又は加えて、インジケータは、照明デバイス（又は発光モジュール又は偏光子）の向きを示してもよい。この向きは、例えば被照面における反射の程度の増加又は減少に対応する。これにより、調節は、ユーザ又は観察者によって、比較的簡単に、場合によっては、偏光方向と被照面における光反射の程度との関係についての知識をほとんど必要とすることなく又は全く必要とすることなく、行われる。
【００１９】
インジケータは、本願のコンテキストでは、例えばユーザに、例えば少なくとも部分的に反射性の表面からの光反射の程度の選択された基準によって規定される、達成されるべき望ましい照明を示す任意の手段として理解されるべきである。インジケータは、したがって、照明デバイスを出る光の偏光方向を間接的及び／又は直接的に示す任意の手段として理解される。インジケータは、矢印、テキスト、記号又は絵といったポインタ又はマーキングによって実現され、出射光の偏光方向又は望ましい照明が達成される照明デバイス（又は発光モジュール又は偏光子）の必要な方向（又は向き）を示す。望ましい照明は、例えば少なくとも部分的に反射性の表面からの光反射の程度の選択された基準によって規定される。これに代えて又は加えて、インジケータは、聴覚によるもの、触覚によるものであってもよく、又は、視覚、聴覚及び触覚の任意の組み合わせによるものであってもよい。
【００２０】
一実施形態によれば、照明デバイスは、少なくとも部分的に反射性の表面を照らす光の入射角をどのように調節すべきか、観察者のためのガイダンスを提供する例えば角度計といった角度インジケータを含む。入射角は、発光モジュールの位置と、少なくとも部分的に反射性の表面の位置と、観察者の注視点とによって画成され、入射光の伝搬ベクトルと、入射点における少なくとも部分的に反射性の表面の法線との間の角度として測定される。入射角を調節できることによって、反射光の量は、それに応じて調節され、これにより、少なくとも部分的に反射性の表面からの光反射の程度の選択された基準に適合する。他比較的大きい入射角は、例えば比較的大量の反射光を提供する一方で、入射点における表面のブルースター角に近い又は等しい入射角では、入射面に平行な偏光方向を有する反射光の量が非常に少なくなる。角度インジケータは、例えば少なくとも部分的に反射性の表面からの光反射の程度の選択された基準に適合するように、入射角をどのように調節すべきか、観察者に指導又は指示するユーザインターフェースを含む。ユーザインターフェースは、視覚によるもの、聴覚によるもの、触覚によるものであってもよく、又は、視覚、聴覚及び触覚の任意の組み合わせによるものであってもよい。本実施形態は、入射点における反射光の量、即ち、反射率を制御できるように、照明デバイスを観察者が調節する可能性を提供する点で有利である。
【００２１】
一実施形態によれば、照明デバイスは、発光モジュールと観察者の注視点との間の第１の距離と、少なくとも部分的に反射性の表面と観察者の注視点との間の第２の距離とをどのように調節すべきか、観察者のためのガイダンスを提供する例えば距離計といった距離インジケータを含む。第１及び第２の距離、また、場合によっては、それらの間の角度を調節することによって、入射角は、少なくとも部分的に反射性の表面からの光反射の程度の選択された基準に適合するように調節される。距離インジケータのガイダンスによって、見ることができる物体と観察者の注視点との間の距離を調節できることによって、例えば読者の読書経験といった観察者の快適な経験を実現する可能性を提供できる。
【００２２】
発光モジュールと観察者の注視点との間の方向は、第１のベクトルによって規定され、少なくとも部分的に反射性の表面と観察者の注視点との間の方向は、第２のベクトルによって規定される。第１及び第２のベクトルは、例えば直交する。これは、距離インジケータを使用することによって、望ましい入射角を実現する可能性を有利に提供する。
【００２３】
一実施形態によれば、発光モジュールは、選択された偏光方向を有する光の第１の成分は透過させ、別の偏光方向を有する光の別の成分は、光源に向けて戻るように反射する反射透過型偏光子を含む。偏光子は、例えば欧州登録特許第０６０６９４０号又は第０６０６９３９号に開示される偏光子のように構成される。反射透過性偏光子を透過しない光の少なくとも一部を、光源に向けて戻るように反射することによって、反射光は、照明デバイスの光学効率を増加させるように、「再利用」される。反射光は、例えば反射光を反射透過型偏光子に向けて戻るように方向転換するリフレクタを提供することによって再利用される。反射光の偏光は、反射時に変更されるので、再利用された光の少なくとも一部は、最終的に、反射透過型偏光子を透過させられる。
【００２４】
一実施形態によれば、反射透過型偏光子は、第１の偏光状態を有する光を、個々に、透過させ、また、反射する。偏光状態変換器を、反射透過型偏光子によって反射された光の少なくとも一部を受け取るように配置することによって、偏光状態変換器は、第１の偏光状態を有する光を、第２の偏光状態を有する光に変換する。変換された光は、例えば変換された光を偏光状態変換器に向かって戻るように方向転換するリフレクタによって再利用される。偏光状態変換器では、再利用される光は、第１の状態に戻るように変換される。
【００２５】
第１の偏光状態は、例えば直線偏光であり、これは、反射透過型偏光子における反射後は、偏光状態変換器によって、円偏光に変換される。円偏光光は、リフレクタ内での反射時に、即ち、右偏光から左偏光又は左偏光から右偏光へ、偏光方向を変更するので、選択された偏光方向を有する再利用される光の量が、増加される。
【００２６】
一実施形態によれば、反射透過型偏光子は、第１の偏光状態を有する光を、個々に、透過させ、また、反射し、照明デバイスは更に、反射透過型偏光子によって透過された光の少なくとも一部を受け取るように、反射透過型偏光子に対して配置される偏光状態変換器を含む。偏光状態変換器は、第１の偏光状態を有する光を、第２の偏光状態を有する光に変換する。この実施形態では、反射透過型偏光子は、例えば選択された偏光方向を有する円偏光光は透過させ、別の偏光方向を有する円偏光光は反射する円偏光子である。望ましくない偏光方向を有する光を反射することは、反射された光が再利用され、選択された偏光方向を有する光に変換されることを有利に可能にする。反射透過型偏光子が円偏光子である場合、偏光状態変換器は、例えば円偏光光を直線偏光光に変換する４分の１波長板である波長板又はリターダを有利に含む。
【００２７】
一実施形態によれば、偏光状態変換器は、幾つかの異なる波長を含む光の偏光成分間の位相シフトを可能とするように、積み重ねられた複屈折層を含む４分の１波長板又はフィルムを含む。これにより、偏光状態変換器を出る偏光光の任意の楕円率は、減少されるか、更には排除される。
【００２８】
これに加えて又は代えて、偏光状態変換器は、２つの透明基板の間に挟まれた液晶層又は重合液晶材料を含む、例えば９０°のねじれネマティック液晶構造であるねじれ液晶構造を含む。
【００２９】
当然ながら、照明デバイスは、例えばライティングデスクといった作業領域を照らすオフィス照明器具、デスクランプ又はフロアスタンド式読書灯内に含まれてよい。発光モジュール（及び／又は偏光子）は、例えば円形又は二次形状を有してよく、また、例えば入射面に平行な偏光方向を有する光を提供する第１の位置及び入射面に直交する偏光方向を有する光を提供する第２の位置である２つの位置間で調節可能である。観察者に、例えば２つの選択肢といった比較的少ない数の調節選択肢から選ばせることによって、ユーザ又は観察者によって誤調節がされるリスクが減少された容易な調節が有利に可能にされる。発光モジュール（及び／又は偏光子）は、任意の望ましい位置を取ってもよく、これにより、観察者に、偏光方向を任意の必要な方向に調節及び調整する可能性を提供する。
【００３０】
これに加えて又は代えて、照明デバイスは、各対応するリフレクタ内に光を放出する少なくとも１つの対応する光源を有する複数のリフレクタを含む。複数のリフレクタを使用することは、厚さが減少された照明デバイスを有利に可能にする。照明デバイスは更に、各リフレクタにつき、個別に調節可能な１つの偏光子を含む複数の発光モジュールを含んでもよい。
【００３１】
なお、本発明は、請求項に記載される特徴のあらゆる可能な組み合わせに関する。
【図面の簡単な説明】
【００３２】
本発明の上記目的、特徴及び利点だけでなく、追加の目的、特徴及び利点は、添付図面を参照して、本発明の好適な実施形態の以下の例示的かつ非限定的である詳細な説明を介して、より深く理解できるであろう。
【００３３】
【図１】図１は、本発明の一実施形態による照明デバイスを概略的に示す。
【図２】図２は、本発明の一実施形態による照明デバイスを概略的に示す。
【図３】図３は、本発明の一実施形態による照明デバイスを概略的に示す。
【図４ａ】図４ａは、本発明の一実施形態による偏光子の平面図である。
【図４ｂ】図４ｂは、本発明の一実施形態による偏光子の平面図である。
【図５】図５は、偏光子及び偏光状態変換器を含む、本発明の一実施形態による照明デバイスの側面断面図である。
【図６】図６は、偏光子及び偏光状態変換器を含む、本発明の一実施形態による照明デバイスの側面断面図である。
【図７】図７は、複数のリフレクタ及び光源を含む、本発明の一実施形態による照明デバイスの側面断面図である。
【図８】図８は、本発明の一実施形態による照明デバイスを含むフロアスタンド式読書灯を概略的に示す。
【００３４】
図面はすべて概略図であり、必ずしも縮尺通りではなく、全般に、本発明の実施形態を説明するのに必要な部分のみを示し、その他の部分は、省略されているか、示唆されているに過ぎない。同様の参照符号は、全体を通して、同様の要素を指している。
【発明を実施するための形態】
【００３５】
本発明は、発光モジュールが、偏光子によって受け取られる未偏光光を放出する光源を含み、当該偏光子は、選択された偏光方向を有する偏光光を生成する、本発明の実施形態を示す添付図面を参照して、以下に、より詳細に説明される。しかし、本発明は、多くの異なる形式で具現化されてよく、本明細書に記載される実施形態に限定されると解釈されるべきではない。これらの実施形態は、むしろ、完全さ及び完璧さのために提供され、当業者に、発明の範囲を伝えるものである。例えば、当然ながら、発光モジュールは、選択された偏光方向を有する偏光光を放出する光源と、任意選択的に、例えば光源と一体に形成されても、照明デバイスのリフレクタの光出射部に可動に配置されてもよい偏光子とを含んでもよい。
【００３６】
図１を参照するに、本発明の一実施形態による照明デバイス１００が概略的に示されている。照明デバイス１００は、発光モジュールを形成している光源１１０及び偏光子１２０を含む。偏光子１２０は、光源１１０によって放出される光を受け取り、選択された偏光方向を有する偏光光を生成する。
【００３７】
照明デバイス１００は、偏光子１２０を出る偏光光が、少なくとも部分的に光反射性である表面Ｓに衝突するように配置される。観察者Ｏによって見える表面Ｓは、本実施形態では、光沢仕上げを有する１枚の紙（例えば雑誌の１ページ）によって実現される。図１において、線Ｌによって表される光路は、観察者Ｏの注視点と、表面Ｓの入射点と、偏光子１２０の位置（即ち、光Ｌがそこから放出される偏光子１２０上の点）とによって画成される入射面Ｐ内に延在する。
【００３８】
照明デバイス１００は、少なくとも部分的に反射性の表面Ｓに入射する光の入射面の向きとの関連で、当該表面を照らす光の偏光方向の調節をもたらすように、調節可能である。このために、偏光子１２０は、少なくとも部分的に反射性の表面Ｓに入射する光の入射面の向きとの関連で、当該表面Ｓを照らす光の偏光方向の調節をもたらすように、調節可能である。図１に示される実施形態では、これは、放出された光の偏光方向がそれに応じて回転されるように、偏光子１２０が、例えば観察者Ｏによって、回転可能であることによって達成される。
【００３９】
照明デバイス１００は、矢印１３０の形式であるインジケータ１３０を含む。本発明の幾つかの実施形態では、インジケータ１３０は、照明デバイス１００によって放出される光の望ましい偏光方向を、観察者Ｏに示す。
【００４０】
図１に示される本実施形態では、矢印１３０は、表面Ｓにおける光反射の程度が減少されるように、表面Ｓを照らす光の偏光方向をどのように調節すべきかについて、観察者Ｏのためのガイダンスを提供する。矢印１３０は、放出された光の偏光方向がそれに応じて回転されるように、観察者Ｏによって回転可能である調節可能な偏光子１２０に提供される。矢印１３０が観察者Ｏを指し示すように偏光子１２０を調節することによって、偏光子１２０から放出される光は、ｐ偏光される。即ち、当該光は、入射面Ｐと平行である偏光方向を有し、これによって、表面Ｓからの反射光の量又は程度の更なる減少が可能となる。これに加えて又は代えて、表面Ｓにおける光反射の程度は、入射光の方向と表面Ｓに対する法線Ｎとの間の角度によって画成される表面Ｓにおける入射角θを変化させることによって調節される。入射角θは、例えば照明デバイス１００を別の位置に移動させることによって、又は、被照面Ｓを移動させることによって調節される。一例では、矢印１３０は、偏光方向が入射面Ｐと平行であるように向けられ、入射角θは、当該角度が表面Ｓのブルースター角に等しい又は少なくとも近いように調節される。ブルースター角では、最小限の反射率が観察されている。
【００４１】
更に、矢印１３０又は任意の他のインジケータは、被照面Ｓにおける光反射の程度を増加させるように、光の偏光方向の調節を容易にするために使用されてもよい。図１に示される実施形態では、これは、矢印１３０が観察者Ｏを指し示している向きに対し、９０°又は約９０°、偏光子を回転させることによって実現される。これにより、入射面Ｐに直交する偏光方向を有する光、即ち、ｓ偏光光が提供される。ｓ偏光光は、表面Ｓにおいて比較的高い程度の光の反射を可能にする。
【００４２】
図２は、本発明の別の実施形態による照明デバイス１００を示す。この照明デバイス１００は、図１を参照して説明された照明デバイス１００と同様である。照明デバイス１００は、光源１１０、偏光子１２０及びインジケータ１３０を含む。図２に示される実施形態では、偏光子１２０は、少なくとも部分的反射性の表面Ｓに入射する光の入射面の向きとの関連で、当該表面Ｓを照らす光の偏光方向の調節をもたらすように調節可能である。インジケータ１３０は、観察者Ｏに、照明デバイス１００によって放出される光の偏光方向を示す。光源１１０、偏光子１２０及びインジケータ１３０は、それぞれ、図１を参照して説明された照明デバイス１００の光源１１０、偏光子１２０及びインジケータ１３０と同様であるか又は同じである。図２に示される照明デバイス１００は、照明デバイス１００の光源１１０によって放出され、表面Ｓに入射する光の入射角θをどのように調節すべきか、観察者Ｏのためのガイダンスを提供する角度計１４０の形式である角度インジケータを含む。入射角θは、偏光子１２０の位置（例えば光Ｌがそこから放出される偏光子１２０上の点）、表面Ｓの位置及び観察者Ｏの注視点によって画成される。入射角θを調節することによって、表面Ｓからの光反射の程度が、選択された基準（例えばグレアを減少するために、表面Ｓからの光反射を減少させること）に適合するように調節される。例えば分度計１４０といった角度計１４０には、例えば観察者Ｏに、照明デバイス１００の位置及び／若しくは向き、並びに／又は、表面Ｓの位置をどのように調節すべきかについて指導するディスプレイ１４５等といったインジケータが提供される。ディスプレイ１４５は、例えば入射角が大き過ぎる又は小さ過ぎると、赤色を呈するか、又は、例えばテキストメッセージであるメッセージを表示して、観察者Ｏに、例えば照明デバイス１００を特定の方向に移動させて入射角θの望ましい調節（したがって、表面Ｓからの光反射の程度の望ましい調節）を達成するように、照明デバイス１００を調節するように指示する。
【００４３】
図３は、本発明の別の実施形態による照明デバイス１００を示す。照明デバイス１００は、光源１１０及び調節可能な偏光子１２０を含む。偏光子１２０は、少なくとも部分的に反射性の表面Ｓに入射する光の入射面の向きとの関連で、当該表面Ｓを照らす光の偏光方向の調節をもたらすように調節可能である。偏光子１２０には、インジケータ１３０が提供される。インジケータ１３０は、被照面Ｓを見る観察者Ｏに、表面Ｓにおける反射を減少又は増加させるように、表面Ｓの入射光の偏光方向をどのように調節すべきかについてガイダンスを提供する。照明デバイス１００は更に、偏光子１２０と観察者Ｏの注視点との間の第１の距離ｄ１と、被照面Ｓと観察者Ｏの注視点との間の第２の距離ｄ２とをどのように調節すべきか、観察者Ｏのためのガイダンスを提供する、例えば巻き尺又は定規といった例えば距離計を含む距離インジケータ１４７を含む。第１の距離ｄ１及び／又は第２の距離ｄ２を調節することによって、照明デバイス１００によって放出され、表面Ｓに入射する光の入射角θは、例えばグレアを減少するために表面Ｓからの光反射を減少させることによって、表面Ｓからの光反射の程度の選択された基準に適合するように調節される。
【００４４】
図４ａ及び図４ｂは、本発明の様々な実施形態による対応する偏光子１２０を示す。図４ａ及び図４ｂに示される偏光子１２０は、それぞれ、本明細書において説明される本発明のどの実施形態とも、例えば図１乃至図３を参照して説明される本発明の実施形態の何れか１つと合わせて使用される。
【００４５】
図４ａは、矢印の形式である２つのインジケータ１３０ａ、１３０ｂを有する円板形状の偏光子１２０を示す。第１の矢印１３０ａは、光反射の減少を示す一方で、第２の矢印１３０ｂは、光反射の増加を示す。例えば図１乃至図３を参照して説明される本発明の実施形態の何れか１つを参照するに、表面Ｓにおける光反射の程度の制御は、第１の矢印１３０ａが観察者Ｏを指し示すように又は第２の矢印１３０ｂが観察者Ｏを指し示すように、観察者Ｏが、偏光子１２０を調節することによって達成される。第１の矢印１３０ａが観察者Ｏを指し示すように偏光子１２０を調節することは、例えば照明デバイス１００を出る光Ｌの偏光方向が入射面Ｐと平行であるように、偏光子１２０が方向付けられることに対応する。これにより、被照面Ｓにおける光反射の程度は、特にブルースター角に近い入射角θにおいて、減少される。しかし、第２の矢印１３０ｂが観察者Ｏに方向付けられる又は観察者Ｏを指し示すように偏光子１２０を調節することによって、偏光子１２０は、入射面に平行な偏光方向を有する光が生成するように方向付けられ、これは、被照面Ｓにおける光反射の程度を、特にブルースター角に近い入射角θにおいて、有利に増加させる。
【００４６】
図４ｂは、図４ａにおける偏光子と同様であるが、四角形の偏光子１２０を示す。インジケータ１３０ａ、１３０ｂは、（光反射の減少を示す）月１３０ａ及び（光反射又はキラキラ光る効果の増加を示す）星１３０ｂを表す。
【００４７】
当然ながら、インジケータ１３０は、偏光方向をどのように調節すべきか、観察者Ｏに指導又は指示する任意の適切な記号、形状又は形態等によって表されてよい。偏光方向は、例えば偏光子１２０を光源１１０との関連で回転させることによって、又は、偏光子１２０が光源１１０に固定されている場合には、光源１１０を回転又は調節することによって、調節される。インジケータ１３０は、例えば偏光子１２０の光出力部及び／若しくは側部、又は、光源１１０に提供される。
【００４８】
図５を参照するに、本発明の一実施形態による照明デバイス１００の側面断面図が示される。照明デバイス１００は、実質的にパラボラ状の又はパラボラリフレクタ１１５を含み、その中に、発光するように光源１１０が配置されている。光源１１０は、本実施形態では、リフレクタ１１５の光軸Ａによって横断されるように配置される。更に、照明デバイス１００は、光源１１０によって放出され、場合によっては、リフレクタ１１５において反射された光Ｌ１の少なくとも一部を受け取るようにリフレクタ１１５に対して配置される例えば４分の１波長板１５０といった偏光状態変換器１５０と、偏光状態変換器１５０によって透過された光の少なくとも一部を受け取るように偏光状態変換器１５０に対して配置される例えば反射透過直線偏光子１２０といった偏光子１２０とを含む。偏光子１２０は、例えば入射面Ｐと平行な偏光方向を有する直線偏光光といった選択された偏光方向を有する光Ｌ２を透過し、例えば入射面Ｐに直交する偏光方向を有する直線偏光光、即ち、ｓ偏光光といった別の偏光方向を有する光を反射する。４分の１波長板１５０は更に、反射されたｓ偏光光を受け取り、その光の少なくとも一部を、リフレクタ１１５に戻るように透過される円偏光光Ｌ３に変換する。円偏光光Ｌ３がリフレクタ１１５内（例えばリフレクタ１１５の内面上及び／又は光源１１０の反射部上で）反射される度に、例えば右偏光光が左偏光光に変換され、また、左偏光光が右偏光光に変換されるように、偏光方向が変わる。したがって、図５に示される実施形態では、光源１１０上で１回（即ち、奇数回）、反射された光Ｌ４の少なくとも一部は、最終的に４分の１波長板１５０に衝突する際に、当該４分の１波長板１５０によって、選択された偏光方向を有する直線偏光光Ｌ５に変換され、したがって、偏光子１２０を透過させられる。例えば表面Ｓ（図示せず）に入射する光の入射面の向きとの関連で、照明デバイス１００によって放出される光の偏光方向は、例えば光軸Ａを軸として偏光子１２０を回転させることによって調節される。この調節は、或いは又は任意選択的に、光軸Ａを軸として照明デバイス１００全体を回転させることによっても実現される。更に、照明デバイス１００は、図１乃至図４を参照して先に説明されたように、観察者に照明デバイス１００によって放出される光の偏光方向を示すインジケータ（図示せず）を含む。インジケータは、表面Ｓにおける光反射の程度が減少されるように、偏光子１２０及び／又は照明デバイス１００をどのように回転させるべきかについて、観察者Ｏのためのガイダンスを提供する。
【００４９】
図６は、本発明の別の実施形態による照明デバイス１００を示す。図６に示される照明デバイス１００は、図５を参照して説明される照明デバイス１００と同様である。図５を参照して説明される照明デバイス１００と対照して、図６に示される照明デバイス１００における偏光子１２０は、例えば右偏光といった選択された偏光方向を有する円偏光光は透過させ、例えば左偏光といった別の偏光方向を有する円偏光光は反射する反射透過型円偏光子１２０である。更に、図６に示される実施形態によれば、例えば４分の１波長板であってよい偏光状態変換器１５０は、透過光の少なくとも一部を受け取り、透過光Ｌ５の少なくとも一部を直線偏光光に変換するように、偏光子１２０に対して配置される。
【００５０】
図７は、本発明の別の実施形態による照明デバイス１００の側面断面図である。照明デバイス１００は、例えばプリント回路基板（ＰＣＢ）１６０を含む共通の基板１６０上に配置される複数のリフレクタ１１５を含む。しかし、各リフレクタ１１５を別個の基板上に配置することも、リフレクタ１１５のサブセットを別々の基板（例えばＰＣＢ）上に配置することも可能である。リフレクタ１１５は、例えばパラボラリフレクタを含むか又はパラボラリフレクタである。各リフレクタ１１５内に、図５を参照して先に説明された照明デバイス１００内の偏光状態変換器１５０及び偏光子１２０と同様の又は同じ偏光状態変換器１５０と、例えば反射透過型直線偏光子１２０といった偏光子１２０とに向けて発光するように配置される各自の又は対応する光源１１０が提供される。偏光状態変換器１５０及び偏光子１２０は、照明デバイス１００によって放出された生成された偏光光の偏光方向が調節できるように、複数のリフレクタ１１５及び複数の光源１１０との関連で、調節可能（例えば回転可能）であるユニットを形成する。照明デバイス１００は、観察者（図７には図示せず）によって見られる少なくとも部分的に反射性の表面（図７には図示せず）を偏光光で照らす。更に偏光子１２０及び／又は偏光状態変換器１５０には、少なくとも部分的に反射性の表面からの光反射の程度の選択された基準に適合するように、偏光方向をどのように調節すべきか、観察者のためのガイダンスを提供するインジケータ（図７には図示せず）が提供される。
【００５１】
最後に、図８は、本発明の一実施形態による（例えば図１乃至３、図５及び図６の何れか１つを参照して説明された本発明の一実施形態による）照明デバイス１００を含むフロアスタンド式読書灯２００の形式の照明器具２００を示す。照明デバイス１００は、雑誌の光沢面Ｓといった少なくとも部分的に反射性の表面Ｓからの光反射の程度を減少させるように、当該表面Ｓを照らす光の偏光方向をどのように調節すべきか、読者Ｏといった観察者Ｏにガイダンスを提供するインジケータ（図８には図示せず）を含む。
【００５２】
当業者であれば、本発明は、上記された好適な実施形態に限定されないことは認識するであろう。それどころか、多くの修正態様及び変形態様が、添付の請求項の範囲内で可能である。更に、当然ながら、本願のコンテキストにおける「観察者」との用語は、少なくとも部分的に光反射性の表面Ｓを見ている人だけでなく、例えば設置者、ユーザ又は修理工であるとも理解される。
【００５３】
更に、開示された実施形態の他の変形態様は、図面、開示内容及び添付の請求項の検討から、請求項に係る発明を実施する当業者によって理解され、実施される。請求項において、「含む」との用語は、他の要素又はステップを排除するものではなく、また、「ａ」又は「ａｎ」との不定冠詞も、複数形を排除するものではない。特定の手段が相互に異なる従属請求項に記載されることだけで、これらの手段の組み合わせを有利に使用することができないことを示すものではない。
【図１】
2016518010.tif 000003
【図２】
2016518010.tif 000004
【図３】
2016518010.tif 000005
【図４ｂ】
2016518010.tif 000006
【図５】
2016518010.tif 000007
【図６】
2016518010.tif 000008
【図７】
2016518010.tif 000009
【図８】
2016518010.tif 000010
【図４ａ】
2016518010.tif 000011
【国際調査報告】
2016518010.tif 000012
2016518010.tif 000013
2016518010.tif 000014